(57)【要約】  典型的な実施形態は、タッチスクリーン表示装置において、メニューおよびアイコンを複数のユーザアクセス位置から利用できるよう、グラフィカルユーザインターフェイスを移動させるための方法およびシステムを提供する。ユーザからの第１の位置設定の接触を、ユーザのアクセス位置を判定するために使用することができ、この位置設定の接触に基づいて、グラフィカルユーザインターフェイスを表示装置上に配置することができる。実施形態は、表示装置全体を動かすことなく、あるいはユーザ自身に位置の変更を強いることなく、タッチスクリーンのメニューおよびアイコンをユーザの近くに自動的に配置できるようにする。典型的な実施形態は、飲食店（特に、ドライブスルーの用途）において使用するための大型の縦長方向の表示装置を提供し、飲食店内に位置する第２の表示装置への電気的接続をさらに含むことができる。
2012515993.tif 000002
【特許請求の範囲】
【請求項１】
タッチスクリーン装置であって、
フルカラー平面パネルタッチスクリーン表示装置と、
前記フルカラー平面パネルタッチスクリーン表示装置と電気的に通信しているＧＵＩドライバと、
を備えており、
前記フルカラー平面パネルタッチスクリーン表示装置は、垂直方向に位置する２つ以上のＧＵＩ領域へ分割されており、
前記ＧＵＩドライバは、ユーザによる位置設定の接触に基づいて、前記２つ以上のＧＵＩ領域のうちの１つのＧＵＩ領域内にＧＵＩを配置することを特徴とするタッチスクリーン装置。
【請求項２】
前記ＧＵＩドライバによって前記平面パネルタッチスクリーンは、前記２つ以上のＧＵＩ領域の各々に位置選択アイコンを表示する請求項１に記載のタッチスクリーン装置。
【請求項３】
前記２つ以上のＧＵＩ領域のうち、ユーザによる位置設定の接触を受けないＧＵＩ領域は、広告材料を表示する請求項１に記載のタッチスクリーン装置。
【請求項４】
前記フルカラー平面パネルタッチスクリーン表示装置は、ＬＥＤバックライト付ＬＣＤ表示装置である請求項１〜３のいずれか一項に記載のタッチスクリーン装置。
【請求項５】
前記フルカラー平面パネルタッチスクリーン表示装置は、有機ＬＥＤ表示装置である請求項１〜３のいずれか一項に記載のタッチスクリーン装置。
【請求項６】
飲食店用ドライブスルータッチスクリーン装置であって、
ドライブスルー駐車区画と、
前記ドライブスルー駐車区画に設置されたＬＥＤバックライト付ＬＣＤタッチスクリーン表示装置と、
前記ＬＥＤバックライト付きＬＣＤタッチスクリーン表示装置と電気的に通信しているＧＵＩドライバと、
を備えており、
前記ＧＵＩドライバは、前記ＬＥＤバックライト付きＬＣＤタッチスクリーン表示装置を垂直方向に位置する複数のＧＵＩ領域に分割し、ユーザによる位置設定の接触に基づいて前記複数のＧＵＩ領域のうちの１つのＧＵＩ領域にＧＵＩを配置することを特徴とする飲食店用ドライブスルータッチスクリーン装置。
【請求項７】
前記飲食店用ドライブスルータッチスクリーン装置は、更に、
前記ＬＥＤバックライト付きＬＣＤタッチスクリーン表示装置と電気的に通信している電子表示装置を備えており、前記電子表示装置は、ユーザが選択した項目を飲食店の従業員へ示す請求項６に記載の飲食店用ドライブスルータッチスクリーン装置。
【請求項８】
前記複数のＧＵＩ領域のうち、ユーザによる位置設定の接触を受けないＧＵＩ領域は、広告材料を表示する請求項７に記載のタッチスクリーン装置。
【請求項９】
ＧＵＩを配置する方法であって、
２つ以上のＧＵＩ領域を有するタッチスクリーン表示装置を提供するステップと、
ユーザによる位置設定の接触を受けるステップと、
前記２つ以上のＧＵＩ領域のうちの適切なＧＵＩ領域と前記位置設定の接触とを関連付けるステップと、
前記適切なＧＵＩ領域に前記ＧＵＩを配置するステップと、
を含むことを特徴とする方法。
【請求項１０】
前記方法は、更に、
ユーザによる第２の位置設定の接触を受けるステップと、
前記２つ以上のＧＵＩ領域のうちの第２の適切なＧＵＩ領域と前記第２の位置設定の接触とを関連付けるステップと、
前記ＧＵＩを前記第２の適切なＧＵＩ領域に配置し直すステップと、
を含む請求項９に記載の方法。
【請求項１１】
前記方法は、更に、
前記２つ以上のＧＵＩ領域のうち、前記位置設定の接触を受けていないＧＵＩ領域に広告情報を表示するステップを含む請求項９に記載の方法。
【請求項１２】
前記方法は、更に、
前記ユーザによる位置設定の接触を受けるステップを実行する前に、可聴音を使用して、前記ユーザに位置設定の接触を行うよう促すステップを含む請求項９に記載の方法。
【請求項１３】
前記方法は、更に、
前記ユーザに位置設定の接触を行うよう促すステップを実行する前に、ユーザの存在を検出するステップを含む請求項１２に記載の方法。
【請求項１４】
前記方法は、更に、
前記ユーザによる位置設定の接触を受けるステップを実行する前に、位置選択アイコンを使用して、前記ユーザに位置設定の接触を行うよう促すステップを含む請求項９に記載の方法。
【請求項１５】
前記方法は、更に、
前記ＧＵＩを介してユーザによる複数の選択を受けるステップと、
前記ユーザによる複数の選択を第２の表示装置へ電気的に送信するステップと、
を含む請求項９〜１４のいずれか一項に記載の方法。
【発明の詳細な説明】
【技術分野】
【０００１】
典型的な実施形態は、広くには、複数のアクセス位置に対応するためにグラフィカルユーザインターフェイスの位置を配置し直すことができるタッチスクリーン表示装置に関する。
【背景技術】
【０００２】
電子表示装置は、屋内の娯楽目的において広く使用されるようになっただけでなく、今や屋内および屋外の広告／情報の目的にも利用されている。例えば、液晶表示装置（ＬＣＤ）、プラズマディスプレイ、および他の多くの平面パネル表示装置が、今や自宅外の場所に居る消費者へ情報および広告用材料を提示するために使用されている。この動きの広がりとともに、タッチスクリーン技術がますます使用されるようになってきている。その結果、消費者はさまざまなやり方でこれらの表示装置とやり取りできるようになっている。今や、典型的な平面パネルタッチスクリーン表示装置を、屋外環境で使用することができる。
【０００３】
タッチスクリーン技術にますます注目するようになっている１つの産業が、サービス産業、特に飲食業である。飲食店の従業員が食べ物の注文をとる仕事は時間がかかるものであり、一般的な方法は、飲食店の所有者に対していくつかの問題を提示する。言葉の壁、不注意な飲食店の従業員、ならびにドライブスルーの飲食店の場合に音の悪いマイクロホンおよびスピーカが、顧客注文時の非効率および誤りを生じさせる。このため、この業界は、過去の方法の代案としてタッチスクリーンに注目している。タッチスクリーンが顧客に提供され、一連のメニューおよびアイコンを通じて、誤りの機会を減らしつつ、効率的なやり方で注文を行うことができる。スクリーンは、メニューを複数の異なる言語で表示することもでき、したがって言葉の壁を容易に克服することができる。
【発明の概要】
【発明が解決しようとする課題】
【０００４】
直面している１つの問題は、複数の異なる高さで表示装置へ近付く消費者に対して、メニューアイコンをどのように提示するかである。表示装置がドライブスルーの注文装置である場合、消費者が背の低いスポーツカー（Ｃｏｒｖｅｔｔｅなど）または背がとても高い小型トラック（Ｈｕｍｍｅｒなど）で表示装置に乗り付ける可能性がある。さらに、表示装置が立ち見用の表示装置である場合には、装置へと近付く消費者が、４フィートから６フィート１０インチまでの間のいずれかの背丈である可能性がある。
【課題を解決するための手段】
【０００５】
典型的な実施形態は、複数の異なるアクセス位置に対応できるようにグラフィカルユーザインターフェイス（ＧＵＩ）の位置を移動させることができるタッチスクリーン表示装置を提供する。
【０００６】
本明細書で開示される典型的な実施形態は、すべてを述べ尽くそうとするものではないし、また実施形態の範囲を不必要に限定するものでもない。典型的な実施形態は、当業者が実施形態を実施できるように、原理を説明するために選択および説明されている。典型的な実施形態が示されおよび説明されれば、当業者は、本明細書に記載の発明に影響を及ぼす多数の変形および変更が可能であることを、理解するであろう。それらの変形および変更の多くは、同じ結果をもたらし、典型的な実施形態の精神の範囲内に収まるだろう。したがって、意図されているのは、実施形態を特許請求の範囲によって示されるとおりにしか限定しないことである。
【０００７】
よりよい理解が、以下の詳細な説明および添付の図面を検討することによって得られるであろう。添付の図面において、同一の参照符号は、同一の部分を指している。
【図面の簡単な説明】
【０００８】
【図１Ａ】背の低い車両からのアクセス位置を示す図である。
【図１Ｂ】トラックからのアクセス位置を示す図である。
【図２】典型的な表示装置の位置および表示装置上の複数のアクセス点を示す正面図である。
【図３】本発明の一実施例におけるシステムの正面図であり、図３Ａは、複数のアクセス点からのアクセスが可能なＧＵＩを移動させるためのシステムの正面図であり、図３Ｂは、図３Ａのシステムにおいてアクセス点が選択された際の表示装置の稼働部分および非稼働部分が示された図であり、図３Ｃは、図３Ａのシステムにおいて他のアクセス点が選択された際の表示装置の稼働部分および非稼働部分が示された図であり、図３Ｄは、図３Ａのシステムにおいて他のアクセス点が選択された際の表示装置の稼働部分および非稼働部分が示された図である。
【図４】本発明の別の実施例におけるシステムの正面図であり、図４Ａは、複数のアクセス点からＧＵＩへのアクセスが可能なシステムの正面図であり、図４Ｂは、図４Ａのシステムにおける表示装置の稼働部分および位置決め点が示された図である。
【図５】本発明の別の実施例におけるシステムの正面図であり、図５Ａは、複数のアクセス点からのアクセスが可能なＧＵＩを移動させるためのシステムの正面図であり、図５Ｂは、図５Ａのシステムにおいてアクセス点が選択された際の表示装置の稼働部分および非稼働部分が示された図であり、図５Ｃは、図５Ａのシステムにおいて他のアクセス点が選択された際の表示装置の稼働部分および非稼働部分が示された図である。
【発明を実施するための形態】
【０００９】
図１Ａは、背の低い車両１３（自動車など）と、地面１０の上方、距離１４に位置するそのアクセス位置１５とを示している。図２Ａは、トラック１８と、地面１０の上方、距離１９に位置するそのアクセス位置２０とを示している。時として、距離１９が、距離１４よりも大きくなる。場合によっては、距離１９と距離１４との間の差が、１フィート程度またはそれ以上になり得る。車両が典型的なドライブスルーの駐車区画に進入するとき、各運転者の垂直距離が、大幅に異なる可能性がある。公知のとおり、典型的なドライブスルーの駐車区画は、１台の車両が出入りして、注文を行う大きさに作られた駐車場（あるいは、飲食店のすぐ周囲の領域）の一部分であってよい。一部の飲食店は、複数のドライブスルーの駐車区画を含むこともある。タッチスクリーン表示装置を操作することが運転者にとって望ましい場合に、表示装置の垂直方向の位置が１つだけでは、すべてのユーザの高さを満足させることができないことが、分かっている。表示装置の高さそのものを動かすことが面倒であることも分かっている。
【００１０】
図２は、表示装置２０が複数のアクセス位置に対応できるように「縦長（ｐｏｒｔｒａｉｔ）」様式に配置されている実施形態を示している。ここでは、地面１０に対して３つの異なる高さ２５、２６、および２７に位置する３つのアクセス位置が示されている。典型的な実施形態は、グラフィカルユーザインターフェイス（ＧＵＩ）をタッチスクリーン表示装置２０のいくつものＧＵＩ領域へ移動させることができるようになっている。タッチスクリーン表示装置に対してＧＵＩをどこに位置させるかを指示し、ＧＵＩの内容を指示し、ユーザの入力をどのように受けて処理するかを指示するマイクロプロセッサであり得るＧＵＩドライバによって、ＧＵＩを動作させることができる。本明細書において使用される場合、ＧＵＩは、選択のために消費者へ提示され得る一連のメニューおよび選択アイコンと考えられる。また、「稼働」および「非稼働」という用語は、表示装置のＧＵＩ領域を説明するために用いられる。表示装置の稼働ＧＵＩ領域は、実際のＧＵＩを含むことができ、その位置は、ユーザによって選択されたアクセス位置に基づく。非稼働ＧＵＩ領域は、ＧＵＩを表示することはできるが、ユーザによってアクセス位置に合わせて選択された領域ではない。非稼働という言葉に従って、画面が当該領域において空白または不動である必要はない。非稼働という用語は、選択用のメニューおよびアイコンのユーザへの提示が行われない画面の領域を単に表すことができる。画像および広告が、表示装置の非稼働ＧＵＩ領域に依然として存在してよいが、表示装置の非稼働の部分では、消費者へのＧＵＩの提示が行われない（多くの場合に、「非稼働」と判断された表示装置の領域に手を伸ばすことが、消費者にとって困難であり得るため）。しかしながら、いくつかの実施形態は、表示装置の非稼働の部分からの入力を受けるように構成することができる。これにより、ユーザは、ＧＩＵの初期位置の選択後に、あるいは消費者にとって有益となり得る他の機能（例えば、言語の変更または飲食店の職員の呼び出し）のために、表示を配置し直すことができる。
【００１１】
図３Ａは、アクセス位置の選択を求めるユーザへの最初の要請の一実施形態を示している。表示装置２０は、基本的に、いくつかのＧＵＩ領域へ分割されている。３つの位置選択アイコン３０、３１、および３２は、表示装置上の各ＧＵＩ領域に対応している。背景３９は、非稼働であってよいが、静止画およびフルモーション動画などの広告を含むことができる。位置選択アイコン３０、３１、または３２のうちのどれが選択されるかに応じて、ＧＵＩが、その特定のＧＵＩ領域に確立される。図３Ｂに示されるように、アイコン３０がユーザによって選択される場合、表示装置の上部が、稼働ＧＵＩ領域３５となり、表示装置の残りの部分が、非稼働ＧＵＩ部分３６になる。図３Ｃに示されるように、アイコン３１がユーザによって選択される場合、表示装置の中央部が、稼働ＧＵＩ領域３５となり、表示装置の残りの部分が、非稼働ＧＵＩ部分３６になる。最後に、図３Ｄに示されるように、アイコン３２がユーザによって選択される場合、表示装置の下部が、稼働ＧＵＩ領域３５となり、表示装置の残りの部分が、非稼働ＧＵＩ部分３６になる。当然ながら、表示装置を、３つよりも多いＧＵＩ領域へ分割することも可能であり、それに対応して、より多くのアイコンを提示することが可能である。いくつかの実施形態では、アイコンが提示されなくてもよい。
【００１２】
図３Ｂ〜３Ｄに示される稼働ＧＵＩ領域は、この領域がアクセス点として選択されたときに、ユーザに対してＧＵＩが提示されると考えられる場所である。実施形態は、システムに２つの別々の座標系を生成することができる。絶対座標系が、表示装置の全体にわたるアイコンの絶対位置を担当することができ、アイコン３０、３１、および３２を確立するために使用することができる。相対座標系が、稼働ＧＵＩ領域の範囲内のみのアイコンおよびメニューの相対位置を担当することができ、ＧＵＩのアイコンおよびメニューを確立するために使用することができる。相対座標系を、ユーザによる第１の位置設定の接触に基づいて配置することができる。
【００１３】
図４Ａは、アクセス点の選択を求めるユーザへの最初の要請の別の実施形態を示している。この実施形態では、ユーザの選択用の具体的なアイコンが、提示されなくてもよい。ユーザは、表示装置２０の任意の部位に触れることができる。表示装置を、３つの部分４０、４１、および４２へと分割することができる。図４Ａに示されている破線は、表示装置上で見ることができず、単に稼働ＧＵＩ領域の適切な位置の選択のための仕切り線を表している。図４Ｂは、稼働ＧＵＩ領域５０の配置、およびこの実施形態で使用することができる３つの位置決め点４３、４４、および４５を示している。このように、アルゴリズムを、ユーザによる第１の位置設定の接触に基づいて稼働ＧＵＩ領域を配置するために使用することができる。このアルゴリズムの例は、以下のようであってよい。
【００１４】
位置設定の接触が区画４２の範囲内である場合、稼働ＧＵＩ領域５０を表示装置の上部付近に配置するために、位置決め点４５を上縁５２に整列させることができる。位置設定の接触が区画４１の範囲内である場合、稼働ＧＵＩ領域５０をユーザによる位置設定の接触の付近の中心位置に配置するために、位置決め点４４をユーザによる接触の垂直位置に整列させることができる。最後に、位置設定の接触が区画４０の範囲内である場合、稼働ＧＵＩ領域５０を表示装置の下部付近に配置するために、位置決め点４３を下縁５１に整列させることができる。この手法は、少なくとも表示装置上のほぼ任意の位置をユーザによる所望のＧＵＩの位置として選択することができるため、好都合である。したがって、ユーザによる可能な稼働化のために、多数のＧＵＩ領域が利用可能である。
【００１５】
図５Ａは、アクセス点の選択を求めるユーザへの最初の要請の別の実施形態を示している。この実施形態では、仕切り線６０が、表示装置２０を上部ＧＵＩ領域６１および下部ＧＵＩ領域６２へと分割している。仕切り線６０は、表示装置２０上で可視でなくてもよい。ユーザを表示装置２０に触れるように促すテキスト６３は、表示装置２０上の任意の場所に配置することができ、上部ＧＵＩ領域６１および下部ＧＵＩ領域６２の両方へと表示装置２０の全体を動き回る可動の表示であってもよい。ユーザは、表示装置２０の任意の部分に触れることができる。図５Ｂは、ユーザが上部ＧＵＩ領域６１に触れた場合の表示装置２０の稼働ＧＵＩ領域６５および非稼働ＧＵＩ領域６４を示している。図５Ｃは、ユーザが下部ＧＵＩ領域６２に触れた場合の表示装置２０の稼働ＧＵＩ領域６５および非稼働ＧＵＩ領域６４を示している。
【００１６】
任意の形態のタッチスクリーン技術が、上述の典型的な実施形態を利用できるようにすることに、留意すべきである。これらの技術として、決して以下のものに限られるわけではないが、４線または５線の抵抗、表面弾性波、赤外線、ならびに近接場イメージングが挙げられるだろう。さらに、実施形態を、以下のものに限られるわけではないがＬＣＤ、プラズマ、および有機ＬＥＤなど、任意の形態の平面パネル表示装置で実施することができる。典型的な実施形態は、ＬＥＤバックライト付ＬＣＤ技術を使用することができるだろう。
【００１７】
また、オーディオシステムを、典型的な実施形態における使用に合わせて構成できることに、留意すべきである。これらのシステムは、ユーザへ提示されるメニューおよびアイコンに対応するオーディオメッセージを伝達することができる。これらのシステムとして、伝統的なスピーカ技術および２０ｋＨｚを超える音波を送信するハイパーソニックサウンド技術を挙げることができる。さらに、消費者が注文および購入した品物の支払いの両方をタッチスクリーン表示装置で行うことができるよう、カード読み取り機を使用してもよい。いくつかの実施形態は、現金での支払いを受け、釣り銭を消費者へと返す装置を備えることができる。消費者または消費者の車両の存在を感知して、聴覚／視覚による歓迎メッセージを開始させ、あるいは画面上のＧＵＩの位置の選択を促すために、１つ以上の近接センサを使用してもよい。当然ながら、タッチスクリーン装置を扱うことが難しい消費者のために、消費者が品物についての疑問または表示装置に関する困難について店内の相手と会話できるよう、伝統的なマイクロホンおよびスピーカの設備を設けることができる。
【００１８】
典型的な実施形態は、タッチスクリーン表示装置と品物の注文および／または購入先の店舗との間の電気通信をさらに備えることができる。この電気通信は、有線または無線であってよい。第２の表示装置を、注文を処理することができるよう、店舗の従業員のために設けることができる。この第２の表示装置は、タッチスクリーン表示装置であっても、タッチスクリーン表示装置でなくてもよい。
【００１９】
実施形態は、ドライブスルーの用途における使用に限られない。実施形態は、タッチスクリーン装置が使用され、複数のアクセス位置が望まれるあらゆる場合で、使用することができる。別の例は、立ち見用のタッチスクリーンが使用され、多くの異なる身長のユーザに対応することが望まれる場合だろう。さらに、本明細書における教示を、ＧＵＩを垂直方向のみならず水平方向に移動させるために、使用することも可能である。
【００２０】
好ましい実施形態を示しおよび説明したため、当業者は、上述の実施形態に影響を及ぼすが、依然として特許請求の範囲内にあるように、多数の変形および変更が可能であることを理解するだろう。すなわち、上述した要素の多くを、変更することができ、または同じ結果をもたらし、請求される実施形態の精神に収まる異なる要素で、置き換えることが可能である。したがって、意図されているのは、特許請求の範囲で示されるものとしてのみ本発明を限定することである。
【図１Ａ】
2012515993.tif 000003
【図１Ｂ】
2012515993.tif 000004
【図２】
2012515993.tif 000005
【図３】
2012515993.tif 000006
【図４】
2012515993.tif 000007
【図５】
2012515993.tif 000008
【国際調査報告】
2012515993.tif 000009
2012515993.tif 000010